(57)【特許請求の範囲】
【請求項１】
所定の材料からなる形象物を製造する製造装置であって、
前記所定の材料を撹拌可能な撹拌部が形成され、撹拌済みの前記所定の材料を収容可能な第１収容部と、
撹拌前の前記所定の材料を収容可能な第２収容部と、
を備え、
前記第２収容部に収容された前記所定の材料を撹拌可能な前記撹拌部は、前記第１収容部の外側に延出された延出部を有し、当該延出部には、撹拌済みの前記所定の材料の注ぎ口部が設けられる製造装置。
【請求項２】
請求項１記載の製造装置であって、
前記撹拌部は、前記第１収容部と前記注ぎ口部とを連通する上面が開放された溝部が形成されている製造装置。
【請求項３】
請求項１又は２記載の製造装置であって、
前記第２収容部に着脱可能なカバー部
をさらに備える製造装置。
【請求項４】
請求項３記載の製造装置であって、
前記第１収容部は、前記カバー部に回転可能に保持される製造装置。
【請求項５】
請求項４記載の製造装置であって、
前記第１収容部に設けられた操作部をさらに備え、
前記操作部の回転操作により、前記撹拌部は、前記第１収容部と共に回転される製造装置。
【請求項６】
請求項４又は５記載の製造装置であって、
前記第２収容部に装着された前記カバー部は、前記第２収容部に収容された前記所定の材料を撹拌可能な高さ位置で、前記撹拌部を保持する製造装置。
【請求項７】
請求項３から６のいずれか一項記載の製造装置であって、
前記第１収容部に収容された前記所定の材料の、前記注ぎ口部への流出量を調整する調整部をさらに備える製造装置。
【請求項８】
請求項３から７のいずれか一項記載の製造装置であって、
撹拌済みの前記所定の材料を前記形象物に成形する成形部をさらに備える製造装置。
【請求項９】
請求項８記載の製造装置であって、
前記成形部を保持可能なベース部をさらに備え、
前記カバー部は、前記ベース部に着脱可能である製造装置。
【請求項１０】
請求項８又は９記載の製造装置であって、
前記成形部には、前記形象物の第１の面を成形する第１成形面と、第２面を成形する第２成形面が設けられる製造装置。
【請求項１１】
請求項１０記載の製造装置であって、
前記第１成形面と前記第２成形面は、前記成形部の中心を挟む対称位置にそれぞれ設けられている製造装置。
【請求項１２】
請求項１１記載の製造装置であって、
前記カバー部は、前記注ぎ口部が前記第１成形面又は前記第２成形面と対向する位置に前記第１収容部を係止する係止部を有する製造装置。
【請求項１３】
請求項１０から１２のいずれか一項記載の製造装置であって、
前記形象物は、前記第１成形面及び前記第２成形面により成形された成形物を結合することにより製造される製造装置。
【請求項１４】
所定の材料を撹拌する攪拌装置であって、
撹拌済みの前記所定の材料を収容可能な第１収容部と、
前記第１収容部の外側に延出された延出部を有し、第２収容部に収容された撹拌前の前記所定の材料を撹拌可能な撹拌部と、
を備え、
前記撹拌部は、前記第１収容部に一体に設けられており、前記延出部に設けられた撹拌済みの前記所定の材料の注ぎ口部を兼ねる撹拌装置。
【発明の詳細な説明】
【技術分野】
【０００１】
本発明は、所定の材料からなる形象物の製造装置、及び所定の材料の撹拌装置に関する。
【背景技術】
【０００２】
チョコレートやグミなどの食品であって、成形型を用いて材料を成形固化させ、種々の形状に成形された成形食品を手作りすることができる、一般家庭で使用可能な成形型及び成形装置が知られている（例えば、特許文献１参照）。
【先行技術文献】
【特許文献】
【０００３】
【特許文献１】特開２０１１−１４２８８５号公報
【発明の概要】
【発明が解決しようとする課題】
【０００４】
成形材料は、一般に、種々の原料の混合や脱泡のために撹拌を要するが、特許文献１に記載された成形装置は、撹拌器材を別途要し、一般家庭での使用における利便性の観点で改善の余地があった。
【０００５】
本発明は、上述した事情に鑑みなされたものであり、所定の材料からなる形象物を製造する製造装置、及び所定の材料の撹拌装置の利便性を高めることを目的とする。
【課題を解決するための手段】
【０００６】
本発明に係る製造装置は、所定の材料からなる形象物を製造する製造装置であって、
前記所定の材料を撹拌可能な撹拌部が形成され、撹拌済みの前記所定の材料を収容可能な第１収容部と、撹拌前の前記所定の材料を収容可能な第２収容部と、を備え、
前記第２収容部に収容された前記所定の材料を撹拌可能な前記撹拌部は、前記第１収容部の外側に延出された延出部を有し、当該延出部には、撹拌済みの前記所定の材料の注ぎ口部が設けられることを特徴とする。
【０００８】
また、本発明に係る製造装置においては、前記撹拌部は、前記第１収容部と前記注ぎ口部とを連通する上面が開放された溝部が形成されていてもよい。
【０００９】
また、本発明に係る製造装置においては、前記第２収容部に着脱可能なカバー部
をさらに備えてもよい。
【００１０】
また、本発明に係る製造装置においては、前記第１収容部は、前記カバー部に回転可能に保持されてもよい。
【００１１】
また、本発明に係る製造装置においては、前記第１収容部に設けられた操作部をさらに備え、前記操作部の回転操作により、前記撹拌部は、前記第１収容部と共に回転されてもよい。
【００１２】
また、本発明に係る製造装置においては、前記第２収容部に装着された前記カバー部は、前記第２収容部に収容された前記所定の材料を撹拌可能な高さ位置で、前記撹拌部を保持してもよい。
【００１３】
また、本発明に係る製造装置においては、前記第１収容部に収容された前記所定の材料の、前記注ぎ口部への流出量を調整する調整部をさらに備えてもよい。
【００１４】
また、本発明に係る製造装置においては、撹拌済みの前記所定の材料を前記形象物に成形する成形部をさらに備えてもよい。
【００１５】
また、本発明に係る製造装置においては。前記成形部を保持可能なベース部をさらに備え、前記カバー部は、前記ベース部に着脱可能であってもよい。
【００１６】
また、本発明に係る製造装置においては、前記成形部には、前記形象物の第１の面を成形する第１成形面と、第２面を成形する第２成形面が設けられてもよい。
【００１７】
また、本発明に係る製造装置においては、前記第１成形面と前記第２成形面は、前記成形部の中心を挟む対称位置にそれぞれ設けられてもよい。
【００１８】
また、本発明に係る製造装置においては、前記カバー部は、前記注ぎ口部が前記第１成形面又は前記第２成形面と対向する位置に前記第１収容部を係止する係止部を有してもよい。
【００１９】
また、本発明に係る製造装置においては、前記形象物は、前記第１成形面及び前記第２成形面により成形された成形物を結合することにより製造されてもよい。
【００２０】
また、本発明に係る撹拌装置は、撹拌済みの前記所定の材料を収容可能な第１収容部と、前記第１収容部の外側に延出された延出部を有し、第２収容部に収容された撹拌前の前記所定の材料を撹拌可能な撹拌部と、を備え、前記撹拌部は、前記第１収容部に一体に設けられており、前記延出部に設けられた撹拌済みの前記所定の材料の注ぎ口部を兼ねることを特徴とする。
【発明の効果】
【００２１】
本発明によれば、所定の材料からなる形象物を製造する製造装置、及び所定の材料の撹拌装置の利便性を高めることができる。
【図面の簡単な説明】
【００２２】
【図１】本発明の実施形態を説明するための、製造装置の全体の構成例を示す分解斜視図である。
【図２】図１の製造装置における撹拌時の構成例を説明するための外観斜視図である。
【図３】図２の製造装置の側断面図である。
【図４】図２の製造装置の撹拌時の動作を示す斜視図である。
【図５】図１の製造装置における注入時の構成例を説明するための外観斜視図である。
【図６】図５の製造装置の調節部の調節蓋が閉じている場合の側断面図である。
【図７】図５の製造装置の調節部の調節蓋が開いている場合の側断面図である。
【図８】図１の製造装置の成形部の構成例を説明するための外観斜視図である。
【図９】図８に示す成形部により成形された形象物の一例を示す図である。
【発明を実施するための形態】
【００２３】
（全体の構成）
図１は、本発明の実施形態を説明するための、製造装置１の全体の構成例を示す分解斜視図である。本実施の形態では、ゼラチンを主原料としたグミ菓子の形象物を製造する場合を例に挙げて説明する。
【００２４】
製造装置１は、少なくとも第１収容部２、撹拌部３、注ぎ口部３３を備えている。さらに蓋部４、操作部５、調節部６、第２収容部７、カバー部８、ベース部９、及び成形部１０を備えていてもよい。また、撹拌装置は、第１収容部２、撹拌部３、注ぎ口部３３を備えている。
【００２５】
第２収容部７は撹拌前のグミ菓子の材料を収容し、撹拌部３は第２収容部７に収容されたグミ菓子の材料を撹拌する。第１収容部２には撹拌されたグミ菓子の材料が注入され、第１収容部２に収容されたグミ菓子の材料は成形部１０に注がれる。成形部１０に注がれたグミ菓子の材料は所定の形状に成形される。
【００２６】
第１収容部２は、上部に撹拌されたグミ菓子の材料の注入口となる開口が設けられた容器２１、および、容器２１の下部に一体に設けられた容器２２を有している。蓋部４が着脱される容器２１の開口の周縁部には外側に広がる円環状のフランジ部２３が設けられている。
【００２７】
撹拌部３は、第１収容部２の容器２２に一体形成されており、容器２２から外側下向きに延出された延出部３１を有している。延出部３１の先端部には、第１収容部２に収容されたグミ菓子の材料を成形部１０に注ぐための注ぎ口部３３が形成されており、また、延出部３１には、注ぎ口部３３と容器２２内とを連通する上方に開放された溝部３２が形成されている。
【００２８】
カバー部８は、透明な樹脂材料からなり、略半球状に形成されている。カバー部８は、グミ菓子の材料が撹拌される際には第２収容部７に被せられ、また、グミ菓子の材料が成形部１０に注がれる際には成形部１０及び成形部１０を支持するベース部９に被せられ、グミ菓子の材料が飛散することを防止する。
【００２９】
カバー部８の上部には第１収容部２を挿入可能な略円形状の開口が設けられている。第１収容部２のフランジ部２３はカバー部８の開口縁部８１に載置され、フランジ部２３が開口縁部８１に載置された第１収容部２は、開口の中心を通る軸まわりに回転可能に、カバー部８によって支持される。
【００３０】
蓋部４は、第１収容部２の容器２１の開口に着脱可能に形成されており、操作部５および調節部６が設けられている。
【００３１】
操作部５は、蓋部４の上面に設けられており、カバー部８に回転可能に支持された第１収容部２の回転操作を行うことができるように構成されている。蓋部４が第１収容部２の容器２１に装着された状態で、操作部５に対して回転操作が行われた際、この回転操作に連動して第１収容部２および第１収容部２に一体に形成された撹拌部３が回転される。
【００３２】
調節部６は、詳細は後述するが、蓋部４の上面に設けられた調節ノブ６２と、調節ノブ６２に接続されている軸６１とを有し、第１収容部２に収容されたグミ菓子の材料の注ぎ口部３３への流出量を調節可能に構成されている。
【００３３】
（撹拌時の構成）
図２は、図１の製造装置１における撹拌時の構成例を説明するための外観斜視図を示し、図３は、図２の製造装置１の側断面図を示し、図４は、図２の製造装置１の撹拌時の動作を示す。
【００３４】
撹拌時には、カバー部８が第２収容部７に被せられ、また、カバー部８に第１収容部２が装着される。フランジ部２３がカバー部８の開口縁部８１に載置された状態で、第１収容部２に一体に形成されている撹拌部３は第２収容部７内に配置されており、上記のとおり、操作部５に対して回転操作が行われた際には、この回転操作に連動して第１収容部２および第１収容部２に一体に形成された撹拌部３が回転される。
【００３５】
以上のようにして、製造装置１は、第２収容部７に収容材料を撹拌することが可能な状態にセットされる。例えば、図４に示すように、操作部５が、矢印Ａに示す方向に回転操作された場合、その回転操作に連動して第１収容部２および撹拌部３が矢印Ｂに示す方向（時計周り）に回転される。なお、図示したように、矢印Ａに示す方向（時計周り）だけでなく、反対方向（反時計回り）に回転させることも可能である。このようにして、第２収容部７に収容されたグミ菓子の材料が撹拌される。
【００３６】
（注入時の構成）
図５は、図１の製造装置１における注入時の構成例を説明するための外観斜視図を示す。図６は、図５の製造装置１の調節部６の調節蓋６３が閉じている場合の側断面図を示し、図７は、図５の製造装置１の調節部６の調節蓋６３が開いている場合の側断面図を示す。
【００３７】
注入時には、成形部１０及び成形部１０を支持するベース部９に被せられ、カバー部８に第１収容部２が装着される。フランジ部２３がカバー部８の開口縁部８１に載置された状態で、第１収容部２に一体に形成されている撹拌部３は成形部１０の上方に配置されている。そして、第１収容部２には、蓋部４が着脱される容器２１の開口をとおして、撹拌されたグミ菓子の材料が注入される。
【００３８】
第１収容部２の容器２２の内部には、容器２１と容器２２とを隔てる隔壁に流通孔２２ａが設けられており、流通孔２２ａは調節部６によって開閉される。
【００３９】
調節部６は、上記のとおり、蓋部４の上面に設けられた調節ノブ６２と、調節ノブ６２に接続されている軸６１とを有しており、軸６１は、蓋部４が容器２１の開口に装着された状態で、容器２１内に収容されている。調節ノブ６２は、軸６１まわりに回転可能に蓋部４に支持されており、調節ノブ６２の回転操作に連動して軸６１が回転される。
【００４０】
軸６１の調節ノブ６２とは反対側の端部には調節蓋６３が設けられている。調節蓋６３は、流通孔２２ａが設けられている容器２１と容器２２との隔壁に重なって配置されており、調節ノブ６２の回転操作に連動して軸６１と共に回転され、流通孔２２ａを開閉する。
【００４１】
流通孔２２ａが開かれた際には、容器２１に収容されているグミ菓子の材料が、容器２２を経て撹拌部３の開口溝部３２に流れ、注ぎ口部３３から撹拌部３の下方に配置されている成形部１０にグミ菓子の材料が注がれる。開口溝部３２を流れるグミ菓子の材料は、透明なカバー部８を介して視認可能である。
【００４２】
（成形部の構成）
図８は、図１の製造装置１の成形部１０の構成例を説明するための外観斜視図を示し、図９は、図８に示す成形部１０により成形された形象物の一例を示す図である。
【００４３】
成形部１０は、略円盤状に形成されており、その盤面には、第１の形象物を成形するための成形面１０１、１０４、第２の形象物を成形するための成形面１０２、１０５、および、第３の形象物を成形するための成形面１０３、１０６が凹設されている。
【００４４】
成形面１０１、１０４は、成形部１０の中心を挟む対称位置にそれぞれ配置されている。成形面１０２、１０５もまた成形部１０の中心を挟む対称位置にそれぞれ配置されており、成形面１０３、１０６もまた成形部１０の中心を挟む対称位置にそれぞれ配置されている。
【００４５】
成形部１０の成形面１０１〜１０６にそれぞれ注がれたグミ菓子の材料は冷却固化される。そして、対称位置に配置された２つの成形面で成形された２つの成形物が結合されることによって、１つの形象物が製造され、図９に示す例では、成形面１０３で成形された成形物２０１の結合面２０１ａと、成形面１０６で成形された成形物２０２の結合面２０２ａとを結合させることによって、１つの形象物２００が製造される。
【００４６】
なお、撹拌部３の注ぎ口部３３が成形部１０の成形面１０１〜１０６の各々に対向する位置に第１収容部２を係止する適宜な係止部を、第１収容部２を回転可能に支持するカバー部８の開口縁部８１に設けるようにしてもよい。
【００４７】
以上においては、グミ菓子の形象物を製造する場合に適用したが、これに限らず、チョコレート、ケーキ、クッキー等、その他の菓子、菓子以外の食品、あるいは、食品以外のもの、例えばプラスチックやゴムを主原料とした消しゴム等の形象物を製造する場合に適用しても良い。
【００４８】
［本発明の実施の形態の効果］
以上のように、製造装置１によれば、所定の材料を撹拌し、撹拌された材料を成形型に注ぎ、成形物を成形することが可能となり、利便性を高めることができる。
【００４９】
また、開口溝部３２を形成することにより、使用者は、成形部１０への材料の注入時に撹拌済みの材料が成形部１０に注入される様子を見て楽しむことができる。
【００５０】
また、第１収容部２は、カバー部８に回転可能に保持されることにより、第２収容部７に収容された所定の材料を均一に撹拌することができる。
【００５１】
また、第２収容部７やベース部９をカバー部８で覆うことにより、撹拌時および注入時における材料の飛散、およびゴミやほこり等の侵入を防止することができる。
【００５２】
また、撹拌された材料を収容する第１収容部２を回転可能とすることにより、第１収容部２における材料の凝固等を防止することができる。
【００５３】
また、撹拌装置（第１収容部２、及び撹拌部３）によれば、所定の材料を撹拌し、撹拌された材料を注ぐことが可能となり、利便性を高めることができる。
【００５４】
今回開示された実施形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００５５】
１  製造装置
２  第１収容部
３  撹拌部
４  蓋部
５  操作部
６  調節部
７  第２収容部
８  カバー部
９  ベース部
１０  成形部
３１  注ぎ口部
【要約】
【課題】所定の材料からなる形象物を製造する製造装置、及び所定の材料の撹拌装置の利便性を高める。
【解決手段】所定の材料からなる形象物を製造する製造装置１は、前記所定の材料を撹拌可能な撹拌部３と、撹拌済みの前記所定の材料を収容可能な収容部２と、を備え、前記収容部２には、撹拌済みの所定の材料の注ぎ口部３３が設けられる。また、所定の材料を撹拌する攪拌装置は、前記所定の材料を撹拌可能な撹拌部３と、撹拌済みの前記所定の材料を収容可能な収容部２と、を備え、前記撹拌部３は、前記収容部２に一体に設けられており、撹拌済みの前記所定の材料の注ぎ口部３３を兼ねる。
【選択図】図１【図１】
0005766341.tif 000002
【図２】
0005766341.tif 000003
【図３】
0005766341.tif 000004
【図４】
0005766341.tif 000005
【図５】
0005766341.tif 000006
【図６】
0005766341.tif 000007
【図７】
0005766341.tif 000008
【図８】
0005766341.tif 000009
【図９】
0005766341.tif 000010